(57)【特許請求の範囲】
【請求項１】
ランプ駆動電源の低電位側の第１の電源端子と高電位側の第２の電源端子との間に接続され、前記ランプ駆動電源から駆動電流の供給を受け、前記駆動電流により直列に接続された複数のＬＥＤランプを点灯するＬＥＤランプ点灯装置であって、
前記第１の電源端子に接続される第１の端子と、
前記第２の電源端子に接続される第２の端子と、
１つのＬＥＤランプ又は直列に接続された複数のＬＥＤランプで構成され、一端が前記第１の端子に接続された第１のランプ回路と、
１つのＬＥＤランプ又は直列に接続された複数のＬＥＤランプで構成され、一端が前記第１のランプ回路の他端に接続され、他端が前記第２の端子に接続された第２のランプ回路と、
前記第１のランプ回路の他端に接続された基準ノードと、第１の接点との間が導通した状態と、前記基準ノードと、第２の接点との間が導通した状態とを切り替えるスイッチ回路と、
一端が前記第１の端子に接続され且つ他端が前記第１の接点に接続され、又は、一端が前記第２の接点に接続され且つ他端が前記第２の端子に接続された制御用スイッチ素子と、
前記制御用スイッチ素子の一端と他端との間の電位差に応じて、前記制御用スイッチ素子を制御するスイッチ制御回路と、を備え、
前記スイッチ制御回路は、
前記制御用スイッチ素子の一端と他端との間の電位差の大きさが、予め設定された基準電圧以上の場合には、前記制御用スイッチ素子をオンし、
前記制御用スイッチ素子の一端と他端との間の電位差の大きさが、前記基準電圧未満の場合には、前記制御用スイッチ素子をオフする
ことを特徴とするＬＥＤランプ点灯装置。
【請求項２】
前記ランプ駆動電源は、
定電圧制御機能と定電流制御機能を有して構成されており、
前記第１のランプ回路および前記第２のランプ回路中の何れかのＬＥＤランプに電流を流せる場合には、前記定電流制御機能により、前記ＬＥＤランプに定電流を流し、
前記第１のランプ回路および前記第２のランプ回路中の何れのＬＥＤランプにも電流を流せない場合には、前記定電圧制御機能により、前記第１の電源端子と前記第２の電源端子との間に出力する出力電圧を、予め設定された規定電圧まで上昇させて一定の電圧にする
ことを特徴とする請求項１に記載のＬＥＤランプ点灯装置。
【請求項３】
前記制御用スイッチ素子は、カソードが前記第２の接点に接続され、アノードが前記第２の端子に接続されたサイリスタである
ことを特徴とする請求項１に記載のＬＥＤランプ点灯装置。
【請求項４】
前記スイッチ制御回路は、
一端が前記第２の接点に接続され、他端が前記サイリスタのゲートに接続された第１の制御抵抗と、
一端が前記第１の制御抵抗の他端に接続された第２の制御抵抗と、
アノードが前記第２の制御抵抗の他端に接続され、カソードが前記第２の端子に接続されたツェナーダイオードと、を有する
ことを特徴とする請求項３に記載のＬＥＤランプ点灯装置。
【請求項５】
前記制御用スイッチ素子は、カソードが前記第１の端子に接続され、アノードが前記第１の接点に接続されたサイリスタである
ことを特徴とする請求項１に記載のＬＥＤランプ点灯装置。
【請求項６】
前記スイッチ制御回路は、
一端が前記第１の端子に接続され、他端が前記サイリスタのゲートに接続された第１の制御抵抗と、
一端が前記第１の制御抵抗の他端に接続された第２の制御抵抗と、
アノードが前記第２の制御抵抗の他端に接続され、カソードが前記第１の接点に接続されたツェナーダイオードと、を有する
ことを特徴とする請求項５に記載のＬＥＤランプ点灯装置。
【請求項７】
前記ランプ駆動電源は、
一端が前記第１の入力端子に接続され、他端が前記第１の電源端子に接続された電源用スイッチ素子と、
一端が前記電源用スイッチ素子の他端に接続され、他端が前記第２の入力端子に接続されたコンデンサと、
前記第２の入力端子と前記第２の電源端子との間に電流が流れる場合には、前記第２の入力端子と前記第２の電源端子との間に流れる電流が一定になるように前記電源用スイッチ素子を制御し、一方、前記第２の入力端子と前記第２の電源端子との間に電流が流れない場合には、前記第１の電源端子と前記第２の電源端子との間の電圧が予め設定された規定電圧になるように、前記電源用スイッチ素子を制御する駆動制御回路と、を備える
ことを特徴とする請求項１に記載のＬＥＤランプ点灯装置。
【請求項８】
前記ランプ駆動電源は、
前記第２の入力端子と前記第２の電源端子との間に接続された検出抵抗をさらに備え、
前記駆動制御回路は、
前記検出抵抗に電流が流れる場合には、前記検出抵抗に流れる電流が一定になるように前記電源用スイッチ素子を制御し、
一方、前記検出抵抗に電流が流れない場合には、前記第１の電源端子と前記第２の電源端子との間の電圧が予め設定された規定電圧になるように、前記電源用スイッチ素子を制御する
ことを特徴とする請求項７に記載のＬＥＤランプ点灯装置。
【請求項９】
前記スイッチ回路は、使用者により手動で、前記基準ノードと前記第１の接点との間を導通する状態と、前記基準ノードと前記第２の接点との間を導通する状態とを、切り替えられるようになっている
ことを特徴とする請求項１に記載のＬＥＤランプ点灯装置。
【請求項１０】
ランプ駆動電源の低電位側の第１の電源端子と高電位側の第２の電源端子との間に接続され、前記ランプ駆動電源から駆動電流の供給を受け、前記駆動電流により直列に接続された複数のＬＥＤランプを点灯するＬＥＤランプ点灯装置であって、前記第１の電源端子に接続される第１の端子と、前記第２の電源端子に接続される第２の端子と、１つのＬＥＤランプ又は直列に接続された複数のＬＥＤランプで構成され、一端が前記第１の端子に接続された第１のランプ回路と、１つのＬＥＤランプ又は直列に接続された複数のＬＥＤランプで構成され、一端が前記第１のランプ回路の他端に接続され、他端が前記第２の端子に接続された第２のランプ回路と、前記第１のランプ回路の他端に接続された基準ノードと、第１の接点との間が導通した状態と、前記基準ノードと、第２の接点との間が導通した状態とを切り替えるスイッチ回路と、一端が前記第１の端子に接続され且つ他端が前記第１の接点に接続され、又は、一端が前記第２の接点に接続され且つ他端が前記第２の端子に接続された制御用スイッチ素子と、を備えるＬＥＤランプ点灯装置の制御方法であって、
前記制御用スイッチ素子の一端と他端との間の電位差の大きさが、予め設定された基準電圧以上の場合には、前記制御用スイッチ素子をオンし、
前記制御用スイッチ素子の一端と他端との間の電位差の大きさが、前記基準電圧未満の場合には、前記制御用スイッチ素子をオフする
ことを特徴とするＬＥＤランプ点灯装置の制御方法。
【発明の詳細な説明】
【技術分野】
【０００１】
本発明は、ランプ駆動電源、および、ランプ駆動電源の制御方法に関する。
【背景技術】
【０００２】
一般に、ＬＥＤ(Ｌｉｇｈｔ Ｅｍｉｔｔｉｎｇ Ｄｉｏｄｅ) ランプは、低電圧で駆動することができ、フィラメント灯（バルブランプ）などと比較して長寿命、低消費電力、素早い反応速度、及び耐衝撃性を有しており、小型、軽量化を図ることができる。【０００３】
このため、ＬＥＤランプは、例えば、車両のヘッドランプなどに好適に用いることができる。【０００４】
このような、ＬＥＤランプの駆動装置の一例として、例えば、特開２０１２−１６０４１３号公報に示すようなＬＥＤ点灯制御装置がある。【０００５】
この特許特開２０１２−１６０４１３号公報に記載のＬＥＤ点灯制御装置は、複数のＬＥＤランプが直列に接続されたＬＥＤアレイの負極端子の電圧によりＬＥＤオープンエラーを検知する。そして、このＬＥＤ点灯制御装置は、ＬＥＤオープンエラーが検知された場合、ＬＥＤオープンエラーが解除されるまで正極端子に印加するＬＥＤ電圧を増大させ、ＬＥＤオープンエラーが解除されたときの電圧を仮ＬＥＤ電圧として決定する。そして、このＬＥＤランプ点灯制御装置は、ＬＥＤアレイを点灯させる場合、仮ＬＥＤ電圧よりも所定値だけ大きいＬＥＤ電圧を印加するように、電源を制御する。【０００６】
これにより、簡単な回路構成でＬＥＤオープンエラーを検知し、ＬＥＤオープンエラーを生じないＬＥＤ電圧を決定することができる。  
既述のように、このＬＥＤランプ点灯装置においては、複数のＬＥＤランプが直列に接続されている。【０００７】
この接続されたＬＥＤランプの何れかに故障が発生した場合、駆動電流が遮断されてしまうため、直列に接続された全てのＬＥＤランプが消灯してしまう。【０００８】
一方、一般的なバルブランプ点灯装置においては、破損したランプは点灯できないが、破損していないランプは使用者によるスイッチの操作により点灯させることができる。【０００９】
このように、直列に接続されたＬＥＤランプの何れかに故障が発生した場合におけるＬＥＤランプ点灯装置の点灯動作は、一般的なバルブランプ点灯装置の点灯動作と異なる問題がある。
【発明の概要】
【課題を解決するための手段】
【００１０】
本発明の一態様に係る実施例に従ったＬＥＤランプ点灯装置は、
ランプ駆動電源の低電位側の第１の電源端子と高電位側の第２の電源端子との間に接続され、前記ランプ駆動電源から駆動電流の供給を受け、前記駆動電流により直列に接続された複数のＬＥＤランプを点灯するＬＥＤランプ点灯装置であって、
前記第１の電源端子に接続される第１の端子と、
前記第２の電源端子に接続される第２の端子と、
１つのＬＥＤランプ又は直列に接続された複数のＬＥＤランプで構成され、一端が前記第１の端子に接続された第１のランプ回路と、
１つのＬＥＤランプ又は直列に接続された複数のＬＥＤランプで構成され、一端が前記第１のランプ回路の他端に接続され、他端が前記第２の端子に接続されたた第２のランプ回路と、
前記第１のランプ回路の他端に接続された基準ノードと、第１の接点との間が導通した状態と、前記基準ノードと、第２の接点との間が導通した状態とを切り替えるスイッチ回路と、
一端が前記第１の端子に接続され且つ他端が前記第１の接点に接続され、又は、一端が前記第２の接点に接続され且つ他端が前記第２の端子に接続された制御用スイッチ素子と、
前記制御用スイッチ素子の前記一端と前記他端との間の電位差に応じて、前記制御用スイッチ素子を制御するスイッチ制御回路と、を備え、
前記スイッチ制御回路は、
前記制御用スイッチ素子の一端と他端との間の電位差の大きさが、予め設定された基準電圧以上の場合には、前記制御用スイッチ素子をオンし、
前記制御用スイッチ素子の一端と他端との間の電位差の大きさが、前記基準電圧未満の場合には、前記制御用スイッチ素子をオフする
ことを特徴とする。【００１１】
前記ＬＥＤランプ点灯装置において、
前記ランプ駆動電源は、
定電圧制御機能と定電流制御機能を有して構成されており、
前記第１のランプ回路および前記第２のランプ回路中の何れかのＬＥＤランプに電流を流せる場合には、前記定電流制御機能により、前記ＬＥＤランプに定電流を流し、
前記第１のランプ回路および前記第２のランプ回路中の何れのＬＥＤランプにも電流を流せない場合には、前記定電圧制御機能により、前記第１の電源端子と前記第２の電源端子との間に出力する出力電圧を、予め設定された規定電圧まで上昇させて一定の電圧にする
ことを特徴とする。【００１２】
前記ＬＥＤランプ点灯装置において、
前記制御用スイッチ素子は、カソードが前記第２の接点に接続され、アノードが前記第２の端子に接続されたサイリスタである
ことを特徴とする。【００１３】
前記ＬＥＤランプ点灯装置において、
前記スイッチ制御回路は、
一端が前記第２の接点に接続され、他端が前記サイリスタのゲートに接続された第１の制御抵抗と、
一端が前記第１の制御抵抗の他端に接続された第２の制御抵抗と、
アノードが前記第２の制御抵抗の他端に接続され、カソードが前記第２の端子に接続されたツェナーダイオードと、を有する
ことを特徴とする。【００１４】
前記ＬＥＤランプ点灯装置において、
前記制御用スイッチ素子は、カソードが前記第１の端子に接続され、アノードが前記第１の接点に接続されたサイリスタである
ことを特徴とする請求項１に記載のＬＥＤランプ点灯装置。【００１５】
前記ＬＥＤランプ点灯装置において、
前記スイッチ制御回路は、
一端が前記第１の端子に接続され、他端が前記サイリスタのゲートに接続された第１の制御抵抗と、
一端が前記第１の制御抵抗の他端に接続された第２の制御抵抗と、
アノードが前記第２の制御抵抗の他端に接続され、カソードが前記第１の接点に接続されたツェナーダイオードと、を有する
ことを特徴とする。【００１６】
前記ＬＥＤランプ点灯装置において、
前記ランプ駆動電源は、
一端が前記第１の入力端子に接続され、他端が前記第１の電源端子に接続された電源用スイッチ素子と、
一端が前記電源用スイッチ素子の他端に接続され、他端が前記第２の入力端子に接続されたコンデンサと、
前記第２の入力端子と前記第２の電源端子との間に電流が流れる場合には、前記第２の入力端子と前記第２の電源端子との間に流れる電流が一定になるように前記電源用スイッチ素子を制御し、一方、前記第２の入力端子と前記第２の電源端子との間に電流が流れない場合には、前記第１の電源端子と前記第２の電源端子との間の電圧が予め設定された規定電圧になるように、前記電源用スイッチ素子を制御する駆動制御回路と、を備える
ことを特徴とする。【００１７】
前記ＬＥＤランプ点灯装置において、
前記ランプ駆動電源は、
前記第２の入力端子と前記第２の電源端子との間に接続された検出抵抗をさらに備え、
前記駆動制御回路は、
前記検出抵抗に電流が流れる場合には、前記検出抵抗に流れる電流が一定になるように前記電源用スイッチ素子を制御し、
一方、前記検出抵抗に電流が流れない場合には、前記第１の電源端子と前記第２の電源端子との間の電圧が予め設定された規定電圧になるように、前記電源用スイッチ素子を制御する
ことを特徴とする。【００１８】
前記ＬＥＤランプ点灯装置において、
前記スイッチ回路は、使用者により手動で、前記基準ノードと前記第１の接点との間を導通する状態と、前記基準ノードと前記第２の接点との間を導通する状態とを、切り替えられるようになっている
ことを特徴とする。【００１９】
本発明の一態様に係る実施例に従ったＬＥＤランプ点灯装置の制御方法は、
ランプ駆動電源の低電位側の第１の電源端子と高電位側の第２の電源端子との間に接続され、前記ランプ駆動電源から駆動電流の供給を受け、前記駆動電流により直列に接続された複数のＬＥＤランプを点灯するＬＥＤランプ点灯装置であって、前記第１の電源端子に接続される第１の端子と、前記第２の電源端子に接続される第２の端子と、１つのＬＥＤランプ又は直列に接続された複数のＬＥＤランプで構成され、一端が前記第１の端子に接続された第１のランプ回路と、１つのＬＥＤランプ又は直列に接続された複数のＬＥＤランプで構成され、一端が前記第１のランプ回路の他端に接続され、他端が前記第２の端子に接続されたた第２のランプ回路と、前記第１のランプ回路の他端に接続された基準ノードと、第１の接点との間が導通した状態と、前記基準ノードと、第２の接点との間が導通した状態とを切り替えるスイッチ回路と、一端が前記第１の端子に接続され且つ他端が前記第１の接点に接続され、又は、一端が前記第２の接点に接続され且つ他端が前記第２の端子に接続された制御用スイッチ素子と、を備えるＬＥＤランプ点灯装置の制御方法であって、
前記制御用スイッチ素子の一端と他端との間の電位差の大きさが、予め設定された基準電圧以上の場合には、前記制御用スイッチ素子をオンし、
前記制御用スイッチ素子の一端と他端との間の電位差の大きさが、前記基準電圧未満の場合には、前記制御用スイッチ素子をオフする
ことを特徴とする。【００２０】
本発明の一態様に係るＬＥＤランプ点灯装置は、ランプ駆動電源の低電位側の第１の電源端子と高電位側の第２の電源端子との間に接続され、ランプ駆動電源から駆動電流の供給を受け、駆動電流により直列に接続された複数のＬＥＤランプを点灯するＬＥＤランプ点灯装置である。【００２１】
そして、ＬＥＤランプ点灯装置は、第１の電源端子に接続される第１の端子と、第２の電源端子に接続される第２の端子と、１つのＬＥＤランプ又は直列に接続された複数のＬＥＤランプで構成され、一端が第１の端子に接続された第１のランプ回路と、１つのＬＥＤランプ又は直列に接続された複数のＬＥＤランプで構成され、一端が第１のランプ回路の他端に接続され、他端が第２の端子に接続されたた第２のランプ回路と、第１のランプ回路の他端に接続された基準ノードと、第１の接点との間が導通した状態と、基準ノードと、第２の接点との間が導通した状態とを切り替えるスイッチ回路と、一端が第１の端子に接続され且つ他端が第１の接点に接続され、又は、一端が第２の接点に接続され且つ他端が第２の端子に接続された制御用スイッチ素子と、制御用スイッチ素子の一端と他端との間の電位差に応じて、制御用スイッチ素子を制御するスイッチ制御回路と、を備える。【００２２】
そして、スイッチ制御回路は、制御用スイッチ素子の一端と他端との間の電位差の大きさが、予め設定された基準電圧以上の場合には、制御用スイッチ素子をオンし、制御用スイッチ素子の一端と他端との間の電位差の大きさが、基準電圧未満の場合には、制御用スイッチ素子をオフする。【００２３】
これにより、直列に接続された複数のＬＥＤランプのうち、故障したＬＥＤランプを迂回して、残りのＬＥＤランプを点灯することができる。【００２４】
すなわち、本発明に係るＬＥＤランプ点灯装置によれば、ＬＥＤランプ点灯装置のＬＥＤランプに故障が発生した場合の動作を、一般的なバルブランプ点灯装置の動作と同等にすることができる。
【図面の簡単な説明】
【００２５】
【図１】図１は、本発明の一態様である実施例１に係るＬＥＤランプ点灯装置１００を含むシステムの構成の一例を示す回路図である。
【図２】図２は、図１に示すＬＥＤランプ点灯装置のスイッチ回路が基準ノードと第２の接点とを導通している状態の一例を示す回路図である。
【図３】図３は、図１に示すＬＥＤランプ点灯装置のスイッチ回路が基準ノードと第１の接点とを導通している状態の一例を示す回路図である。
【図４】図４は、図１に示すＬＥＤランプ点灯装置１００のスイッチ回路ＳＷ１が基準ノードＮＢと第２の接点ＮＳ２とを導通している状態の一例を示す回路図である。
【図５】図５は、図１に示すＬＥＤランプ点灯装置１００のスイッチ回路ＳＷ１が基準ノードＮＢと第１の接点ＮＳ１とを導通している状態の一例を示す回路図である。
【図６】図６は、図１に示すＬＥＤランプ点灯装置１００のスイッチ回路ＳＷ１が基準ノードＮＢと第２の接点ＮＳ２とを導通している状態の一例を示す回路図である。
【図７】図７は、図１に示すＬＥＤランプ点灯装置１００のスイッチ回路ＳＷ１が基準ノードＮＢと第１の接点ＮＳ１とを導通している状態の一例を示す回路図である。
【図８】図８は、一般的なバルブランプ点灯装置のスイッチ回のオン／オフと、各バルブランプの点灯との関係を示す図である。
【図９】図９は、図１に示す実施例１に係るランプ点灯装置１００のスイッチ回路のオン／オフと、各ＬＥＤランプの点灯との関係を示す図である。
【図１０】図１０は、本発明の一態様である実施例２に係るＬＥＤランプ点灯装置１００を含むシステムの構成の一例を示す回路図である。
【発明を実施するための形態】
【００２６】
以下、本発明に係る各実施例について図面に基づいて説明する。
【実施例１】
【００２７】
図１は、本発明の一態様である実施例１に係るＬＥＤランプ点灯装置１００を含むシステムの構成の一例を示す回路図である。この図１に示す例は、車両のヘッドランプに適用されるＬＥＤランプ点灯装置の例である。【００２８】
図１に示すように、ランプ駆動電源１０には、ＬＥＤランプ点灯装置１００が接続される。このランプ駆動電源１０には、交流発電機Ｇが接続される。【００２９】
ここで、交流発電機Ｇは、単相交流発電機であり、例えば、車両等のエンジンに連動して回転することにより、交流で発電するようになっている。【００３０】
この交流発電機Ｇの一端Ｇ１は、ランプ駆動電源１０の第１の入力端子ＴＩ１に接続され、他端Ｇ２は接地されている。交流発電機Ｇは、発電した交流電圧ＶＡをランプ駆動電源１０に出力するようになっている。【００３１】
そして、ランプ駆動電源１０の負電圧側（低電位側）の第１の電源端子ＴＳ１は、ＬＥＤランプ点灯装置１００の第１の端子Ｔａ１に接続され、ランプ駆動電源１０の正電圧側（高電位側）の第２の電源端子ＴＳ２は、ＬＥＤランプ点灯装置１００の第２の端子Ｔａ２に接続される。そして、このランプ駆動電源１０は、ＬＥＤランプ点灯装置１００に、交流発電機Ｇの交流電流を整流してＬＥＤランプを点灯するための駆動電流を供給するようになっている。【００３２】
すなわち、ＬＥＤランプ点灯装置１００は、ランプ駆動電源１０の低電位側の第１の電源端子ＴＳ１と高電位側の第２の電源端子ＴＳ２との間に接続され、ランプ駆動電源１０から駆動電流の供給を受け、該駆動電流により直列に接続された複数のＬＥＤランプを点灯するようになっている。【００３３】
また、ＬＥＤランプ点灯装置１００は、例えば、図１に示すように、第１の端子Ｔａ１と、第２の端子Ｔａ２と、第１のランプ回路Ｌ１と、第２のランプ回路Ｌ２と、スイッチ回路ＳＷ１と、制御用スイッチ素子ＳＣＲと、スイッチ制御回路Ｃ１と、を有する。【００３４】
第１の端子Ｔａ１は、第１の電源端子ＴＳ１に接続されるようになっている。【００３５】
第２の端子Ｔａ２は、第２の電源端子ＴＳ２に接続されるようになっている。【００３６】
第１のランプ回路Ｌ１は、１つのＬＥＤランプ又は直列に接続された複数のＬＥＤランプで構成され、一端が第１の端子Ｔａ１に接続されている。【００３７】
図１の例では、第１のランプ回路Ｌ１は、２つのＬＥＤランプＬＨ１、ＬＨ２が直列に接続されて構成されている。【００３８】
なお、図１に示すように、第１のランプ回路Ｌ１の一端は、第１のランプ回路Ｌ１のＬＥＤランプＬＨ１のカソード側である。【００３９】
また、第１のランプ回路Ｌ１の他端は、第１のランプ回路Ｌ１のＬＥＤランプＬＨ２のアノード側である。【００４０】
この第１のランプ回路Ｌ１のＬＥＤランプは、例えば、車両のヘッドランプのハイビーム用ランプ(例えば、走行用前照灯)である。【００４１】
第２のランプ回路Ｌ２は、１つのＬＥＤランプ又は直列に接続された複数のＬＥＤランプで構成され、一端が第１のランプ回路Ｌ１の他端に接続され、他端が第２の端子Ｔａ２に接続されている。【００４２】
図１の例では、第２のランプ回路Ｌ２は、２つのＬＥＤランプＬＬ１、ＬＬ２が直列に接続されて構成されている。【００４３】
なお、図１に示すように、第２のランプ回路Ｌ２の一端は、第２のランプ回路Ｌ２のＬＥＤランプＬＬ１のカソード側である。また、第２のランプ回路Ｌ２の他端は、第２のランプ回路Ｌ２のＬＥＤランプＬＬ２のアノード側である。【００４４】
この第２のランプ回路Ｌ２のＬＥＤランプは、例えば、該ヘッドランプのロービーム用ランプ(例えば、すれ違い用前照灯)である。【００４５】
また、スイッチ回路ＳＷ１は、第１のランプ回路Ｌ１の他端に接続された基準ノードＮＢと、第１の端子Ｔａ１に接続された第１の接点ＮＳ１との間、又は、基準ノードＮＢと、第２の接点ＮＳ２との間の何れか一つを導通するようになっている。【００４６】
すなわち、スイッチ回路ＳＷ１は、基準ノードＮＢと第１の接点ＮＳ１との間が導通した状態と、基準ノードＮＢと第２の接点ＮＳ２との間が導通した状態とを切り替える。【００４７】
例えば、スイッチ回路ＳＷ１が操作されることにより、第１のランプ回路Ｌ１の他端に接続された基準ノードＮＢと、第１の端子Ｔａ１に接続された第１の接点ＮＳ１との間が導通すると、第１のランプ回路Ｌ１のＬＥＤランプＬＨ１、ＬＨ２が短絡されることになる。【００４８】
これにより、第１のランプ回路Ｌ１には電流が流れないため、第２のランプ回路Ｌ２のＬＥＤランプＬＬ１、ＬＬ２は点灯し且つ第１のランプ回路Ｌ１のＬＥＤランプＬＨ１、ＬＨ２は消灯した状態になる。【００４９】
一方、スイッチ回路ＳＷ１が操作されることにより、第１のランプ回路Ｌ１の他端に接続された基準ノードＮＢと、第２の接点ＮＳ２との間が導通すると、第１のランプ回路Ｌ１のＬＥＤランプＬＨ１、ＬＨ２に電流が流れることになる。【００５０】
これにより、第１、第２のランプ回路Ｌ１、Ｌ２の全てのＬＥＤランプＬＨ１、ＬＨ２、ＬＬ１、ＬＬ２が点灯した状態になる。【００５１】
すなわち、このスイッチ回路ＳＷ１は、既述の車両のヘッドランプのハイビーム（第１のランプ回路Ｌ１と第２のランプ回路Ｌ２とが点灯）Ｈｉとロービーム（第２のランプ回路Ｌ２が点灯）Ｌｏとを切り替えるためのスイッチである。【００５２】
なお、このスイッチ回路ＳＷ１は、使用者により手動で制御されるようになっている。すなわち、このスイッチ回路ＳＷ１は、使用者により手動で、基準ノードＮＢと第１の接点ＮＳ１との間を導通する状態と、基準ノードＮＢと第２の接点ＮＳ２との間を導通する状態とを、切り替えられるようになっている。【００５３】
また、制御用スイッチ素子ＳＣＲは、例えば、図１に示すように、一端が第２の接点ＮＳ２に接続され、他端が第２の端子Ｔａ２に接続されている。【００５４】
この制御用スイッチ素子ＳＣＲは、カソードが第２の接点ＮＳ２に接続され、アノードが第２の端子Ｔａ２に接続されたサイリスタである。【００５５】
なお、後述のように、この制御用スイッチ素子ＳＣＲは、一端が第１の端子Ｔａ１に接続され且つ他端が第１の接点ＮＳ１に接続されていてもよい。【００５６】
また、スイッチ制御回路Ｃ１は、制御用スイッチ素子ＳＣＲの一端と他端との間の電位差（第２の接点ＮＳ２と第２の端子Ｔａ２との間の電位差）に応じて、制御用スイッチ素子ＳＣＲを制御するようになっている。【００５７】
例えば、スイッチ制御回路Ｃ１は、制御用スイッチ素子ＳＣＲの一端と他端との間（第２の接点ＮＳ２と第２の端子Ｔａ２との間）の電位差の大きさ（絶対値）が、予め設定された基準電圧以上の場合には、制御用スイッチ素子ＳＣＲをオンするようになっている。なお、該基準電圧は、その値の大きさ（絶対値）で比較される（以下同様）。【００５８】
一方、スイッチ制御回路Ｃ１は、制御用スイッチ素子ＳＣＲの一端と他端との間（第２の接点ＮＳ２と第２の端子Ｔａ２との間）の電位差の大きさ（絶対値）が、該基準電圧未満の場合には、制御用スイッチ素子ＳＣＲをオフするようになっている。【００５９】
このスイッチ制御回路Ｃ１は、図１に示すように、例えば、第１の制御抵抗Ｒｓと、第２の制御抵抗Ｒｔと、ツェナーダイオードＺｅと、を有する。
第１の制御抵抗Ｒｓは、一端が第２の接点ＮＳ２に接続され、他端がサイリスタ（制御用スイッチ素子）ＳＣＲのゲート（制御端子）に接続されている。【００６０】
第２の制御抵抗Ｒｔは、一端が第１の制御抵抗Ｒｓの他端に接続されている。【００６１】
ツェナーダイオードＺｅは、アノードが第２の制御抵抗Ｒｔの他端に接続され、カソードが第２の端子Ｔａ２に接続されている。【００６２】
このスイッチ制御回路Ｃ１は、第１の制御抵抗Ｒｓと、第２の制御抵抗Ｒｔと、ツェナーダイオードＺｅとにより、第２の接点ＮＳ２の電圧を監視するように構成されている。【００６３】
つまり、第２の接点ＮＳ２の電圧の値（絶対値）が、該基準電圧よりも大きくなった場合に、ツェナーダイオードＺｅが導通し、第２の制御抵抗Ｒｔに電流が流れるように構成されている。【００６４】
そして、ツェナーダイオードＺｅが導通し、第２の制御抵抗Ｒｔに電流が流れることにより、制御用スイッチ素子（サイリスタ）ＳＣＲのアノードとゲートとの間に電圧が発生する。この電圧により制御用スイッチ素子ＳＣＲのゲートにゲート電流が流れて、制御用スイッチ素子ＳＣＲがターンオンする。【００６５】
なお、該基準電圧は、第１の制御抵抗Ｒｓおよび第２の制御抵抗Ｒｔの抵抗値と、ツェナーダイオードＺｅの降伏電圧とにより、所望の値に設定することができる。【００６６】
以上のような構成を有するＬＥＤランプ点灯装置１００は、第１の端子Ｔａ１と第２の端子Ｔａ２との間で直列に接続された複数のＬＥＤランプＬＨ１、ＬＨ２、ＬＬ１、ＬＬ２を有し且つ複数のＬＥＤランプＬＨ１、ＬＨ２、ＬＬ１、ＬＬ２のうち点灯するＬＥＤランプを切替え可能になっている（図１）。【００６７】
ここで、ランプ駆動電源１０は、図１に示すように、例えば、第１の入力端子ＴＩ１と、第２の入力端子ＴＩ２と、第１の電源端子ＴＳ１と、第２の電源端子ＴＳ２と、電源用スイッチ素子ＳＸと、コンデンサＣＸと、検出抵抗ＲＸと、駆動制御回路ＣＯＮと、を有する。【００６８】
低電位側の第１の電源端子ＴＳ１は、第１の端子Ｔａ１に接続されるようになっている。【００６９】
高電位側の第２の電源端子ＴＳ２は、第２の端子Ｔａ２に接続されるようになっている。【００７０】
第１の入力端子ＴＩ１は、交流発電機Ｇの一端Ｇ１に接続されている。【００７１】
第２の入力端子ＴＩ２は、交流発電機Ｇの他端Ｇ２に接地を介して接続されている。【００７２】
電源用スイッチ素子ＳＸは、一端が第１の入力端子ＴＩ１に接続され、他端が第１の電源端子ＴＳ１に接続されている。【００７３】
この電源用スイッチ素子ＳＸは、図１に示すように、例えば、カソードが第１の入力端子ＴＩ１に接続され、アノードが第１の電源端子ＴＳ１に接続され、ゲートに駆動制御回路ＣＯＮから制御信号が入力されるサイリスタである。【００７４】
コンデンサＣＸは、一端が電源用スイッチ素子ＳＸの他端に接続され、他端が第２の入力端子ＴＩ２（交流発電機Ｇの他端Ｇ２）に接続されている。このコンデンサＣＸは、平滑用コンデンサ(電解コンデンサ)である。【００７５】
検出抵抗ＲＸは、第２の入力端子ＴＩ２と第２の電源端子ＴＳ２との間に接続されている。【００７６】
そして、駆動制御回路ＣＯＮは、第２の入力端子ＴＩ２と第２の電源端子ＴＳ２との間に電流ＩＸが流れる場合には、第２の入力端子ＴＩ２と第２の電源端子ＴＳ２との間に流れる電流が一定になるように電源用スイッチ素子ＳＸを制御するようになっている。【００７７】
一方、駆動制御回路ＣＯＮは、第２の入力端子ＴＩ２と第２の電源端子ＴＳ２との間に電流ＩＸが流れない場合には、第１の電源端子ＴＳ１と第２の電源端子ＴＳ２との間の電圧が予め設定された規定電圧になるように、電源用スイッチ素子ＳＸを制御するようになっている。【００７８】
ここで、図１の例では、駆動制御回路ＣＯＮは、検出抵抗ＲＸに流れる電流ＩＸを検出するようになっている。【００７９】
駆動制御回路ＣＯＮは、検出抵抗ＲＸに電流ＩＸが流れる場合には、検出抵抗ＲＸに流れる電流ＩＸが一定になるように電源用スイッチ素子ＳＸを制御するようになっている。【００８０】
これにより、電源用スイッチ素子（サイリスタ）ＳＸは、交流発電機Ｇが出力する交流電圧ＶＡの負相側の電圧を、駆動制御回路ＣＯＮの制御に基づき半波整流し、ＬＥＤランプ点灯装置１００に駆動電流が供給される。【００８１】
また、電源用スイッチ素子（サイリスタ）ＳＸは、導通期間中にコンデンサＣＸを充電する。【００８２】
このコンデンサＣＸは、電源用スイッチ素子（サイリスタ）ＳＸの非導通期間において、ＬＥＤランプ点灯装置１００に電流を供給するための整流平滑用コンデンサとなる。【００８３】
すなわち、駆動制御回路ＣＯＮは、ＬＥＤランプ点灯装置１００に流れる電流の実効値又は平均値が一定になるように、電源用スイッチ素子（サイリスタ）ＳＸの導通タイミング(点弧位相)を制御する。【００８４】
一方、駆動制御回路ＣＯＮは、検出抵抗ＲＸに電流ＩＸが流れない場合には、第１の電源端子ＴＳ１と第２の電源端子ＴＳ２との間の電位差が予め設定された規定電圧になるように、電源用スイッチ素子ＳＸを制御するようになっている。【００８５】
以上のように、ランプ駆動電源１０は、定電圧制御機能と定電流制御機能を有して構成されている。【００８６】
すなわち、ランプ駆動電源１０は、第１のランプ回路Ｌ１および第２のランプ回路Ｌ２の何れかのＬＥＤランプに電流を流せる場合には、該定電流制御機能により、ＬＥＤランプに定電流を流す（第２の電源端子ＴＳ２から一定の電流を出力する）。【００８７】
なお、ここでは、ＬＥＤランプに電流を流せる場合とは、ＬＥＤランプが故障していない（導通している）場合である。【００８８】
一方、ランプ駆動電源１０は、第１のランプ回路Ｌ１および第２のランプ回路Ｌ２中の何れのＬＥＤランプにも電流を流せない（故障している）場合には、該定電圧制御機能により、第１の電源端子ＴＳ１と第２の電源端子ＴＳ２との間に出力する出力電圧を、予め設定された規定電圧まで上昇させて一定の電圧にする。【００８９】
なお、ここでは、ＬＥＤランプに電流を流せない場合とは、ＬＥＤランプが故障している（断線している）場合であり、負荷オープン状態である。【００９０】
ここで、以上のような構成を有するＬＥＤランプ点灯装置１００の動作について説明する。【００９１】
図２は、図１に示すＬＥＤランプ点灯装置のスイッチ回路が基準ノードと第２の接点とを導通している状態の一例を示す回路図である。また、図３は、図１に示すＬＥＤランプ点灯装置のスイッチ回路が基準ノードと第１の接点とを導通している状態の一例を示す回路図である。【００９２】
例えば、図２の例では、スイッチ回路ＳＷ１は、基準ノードＮＢと第１の接点ＮＳ１との間を導通している。【００９３】
すなわち、使用者により、ハイビームＨｉが選択されるようにスイッチ回路ＳＷ１が切り替えられている。【００９４】
これにより、ランプ駆動電源１０から供給される電流ＩＸが、「第２の端子Ｔａ２→第２のランプ回路Ｌ２→第１のランプ回路Ｌ１→第１の端子Ｔａ１」の経路で流れる（図２）。【００９５】
したがって、直列に接続された複数のＬＥＤランプＬＨ１、ＬＨ２、ＬＬ１、ＬＬ２のうち、全てのＬＥＤランプＬＨ１、ＬＨ２、ＬＬ１、ＬＬ２が点灯する。【００９６】
その後、例えば、スイッチ回路ＳＷ１が使用者により操作されて、基準ノードＮＢと第２の接点ＮＳ２との間が導通した状態から、基準ノードＮＢと第１の端子Ｔａ１に接続された第１の接点ＮＳ１との間が導通した状態に切り替えられる（図３）。なお、この間、スイッチ制御回路Ｃ１は、制御用スイッチ素子ＳＣＲをオフしている。【００９７】
すなわち、使用者により、ロービームＬｏが選択されるようにスイッチ回路ＳＷ１が切り替えられる。【００９８】
これにより、ランプ駆動電源１０から供給される電流ＩＸが、「第２の端子Ｔａ２→第２のランプ回路Ｌ２→スイッチ回路ＳＷ１→第１の端子Ｔａ１」の経路で流れる。【００９９】
すなわち、ＬＥＤランプ点灯装置１００は、直列に接続された複数のＬＥＤランプＬＨ１、ＬＨ２、ＬＬ１、ＬＬ２のうち、全てのＬＥＤランプＬＨ１、ＬＨ２、ＬＬ１、ＬＬ２を点灯させた状態から、点灯しているＬＥＤランプＬＨ１、ＬＨ２を短絡させる。【０１００】
この点灯しているＬＥＤランプＬＨ１、ＬＨ２を短絡することにより、該ＬＥＤランプＬＨ１、ＬＨ２に電流が流れなくなり、結果として該ＬＥＤランプＬＨ１、ＬＨ２が消灯する。【０１０１】
このように、ＬＥＤランプ点灯装置１００は、直列に接続された複数のＬＥＤランプのうちの何れかを点灯させた状態から、点灯しているＬＥＤランプの何れかを短絡させるようになっている。この点灯しているＬＥＤランプを短絡することにより、該ＬＥＤランプに電流が流れなくなり、結果として該ＬＥＤランプが消灯する。【０１０２】
なお、上記図２および図３に示す場合においては、スイッチ制御回路Ｃ１は動作せず、このスイッチ制御回路Ｃ１が、電流ＩＸに影響を与えることはない。【０１０３】
次に、ＬＥＤランプ点灯装置１００のスイッチ制御回路Ｃ１が動作する場合について説明する。【０１０４】
図４は、図１に示すＬＥＤランプ点灯装置１００のスイッチ回路ＳＷ１が基準ノードＮＢと第２の接点ＮＳ２とを導通している状態の一例を示す回路図である。また、図５は、図１に示すＬＥＤランプ点灯装置１００のスイッチ回路ＳＷ１が基準ノードＮＢと第１の接点ＮＳ１とを導通している状態の一例を示す回路図である。また、図６は、図１に示すＬＥＤランプ点灯装置１００のスイッチ回路ＳＷ１が基準ノードＮＢと第２の接点ＮＳ２とを導通している状態の一例を示す回路図である。また、図７は、図１に示すＬＥＤランプ点灯装置１００のスイッチ回路ＳＷ１が基準ノードＮＢと第１の接点ＮＳ１とを導通している状態の一例を示す回路図である。また、図８は、一般的なバルブランプ点灯装置のスイッチ回のオン／オフと、各バルブランプの点灯との関係を示す図である。また、図９は、図１に示す実施例１に係るランプ点灯装置１００のスイッチ回路のオン／オフと、各ＬＥＤランプの点灯との関係を示す図である。【０１０５】
なお、図４および図５においては、第２のランプ回路Ｌ２のＬＥＤランプＬＬ２が故障（断線）している。また、図６および図７においては、第１のランプ回路Ｌ１のＬＥＤランプＬＨ１が故障（断線）している。【０１０６】
例えば、図４の例では、スイッチ回路ＳＷ１の状態は、既述の図２に示す状態と同様である。【０１０７】
すなわち、使用者により、ハイビーム用ランプＨｉが選択されるようにスイッチ回路ＳＷ１が切り替えられている。【０１０８】
図４に示すように、第２のランプ回路Ｌ２のＬＥＤランプＬＬ２が故障している状態で、スイッチ回路ＳＷ１が操作されることにより基準ノードＮＢと第２の接点ＮＳ２との間を導通しても、第２のランプ回路Ｌ２には電流が流れない。【０１０９】
さらに、既述のように、スイッチ制御回路Ｃ１は、制御用スイッチ素子ＳＣＲの一端と他端との間（第２の接点ＮＳ２と第２の端子Ｔａ２との間）の電位差の大きさ（絶対値）が、該基準電圧未満の場合には、制御用スイッチ素子ＳＣＲをオフする。【０１１０】
したがって、電流ＩＸが流れない。【０１１１】
しかし、ランプ駆動電源１０の該定電圧制御機能により、第１の電源端子ＴＳ１と第２の電源端子ＴＳ２との間の電圧が該規定電圧まで上昇する。【０１１２】
これにより、制御用スイッチ素子ＳＣＲの一端と他端との間（第２の接点ＮＳ２と第２の端子Ｔａ２との間）の電位差の大きさ（絶対値）が、該基準電圧以上になると、スイッチ制御回路Ｃ１は、制御用スイッチ素子ＳＣＲをオンする。【０１１３】
これにより、第２の接点ＮＳ２と第２の端子Ｔａ２との間に電流が流れる。【０１１４】
すなわち、ランプ駆動電源１０から供給される電流ＩＸが、「第２の端子Ｔａ２→制御用スイッチ素子ＳＣＲ→スイッチ回路ＳＷ１→第１のランプ回路Ｌ１→第１の端子Ｔａ１」の経路で流れる。【０１１５】
したがって、第１のランプ回路Ｌ１のＬＥＤランプＬＨ１、ＬＨ２が点灯することとなる（図９）。【０１１６】
このように、スイッチ制御回路Ｃ１の動作により、故障しているＬＥＤランプＬＬ２を迂回して、故障してないＬＥＤランプＬＨ１、ＬＨ２（２灯）を点灯することができる。【０１１７】
次に、図５の例では、スイッチ回路ＳＷ１の状態は、既述の図３に示す状態と同様である。【０１１８】
すなわち、使用者により、ロービーム用ランプＬｏが選択されるようにスイッチ回路ＳＷ１が切り替えられている。【０１１９】
図５に示すように、第２のランプ回路Ｌ２のＬＥＤランプＬＬ２が故障している状態で、スイッチ回路ＳＷ１が操作されることにより基準ノードＮＢと第１の接点ＮＳ１との間を導通しても、第２のランプ回路Ｌ２には電流が流れない。【０１２０】
これにより、第１および第２のランプ回路Ｌ１、Ｌ２は消灯する（図９）。【０１２１】
次に、図６の例では、スイッチ回路ＳＷ１の状態は、既述の図２に示す状態と同様である。【０１２２】
すなわち、使用者により、ハイビーム用ランプＨｉが選択されるようにスイッチ回路ＳＷ１が切り替えられている。【０１２３】
図６に示すように、第１のランプ回路Ｌ１のＬＥＤランプＬＨ１が故障している状態で、スイッチ回路ＳＷ１が操作されることにより基準ノードＮＢと第２の接点ＮＳ２との間を導通しても、第１のランプ回路Ｌ１には電流が流れない。【０１２４】
これにより、第１および第２のランプ回路Ｌ１、Ｌ２は消灯する（図９）。【０１２５】
次に、図７の例では、スイッチ回路ＳＷ１の状態は、既述の図３に示す状態と同様である。【０１２６】
すなわち、使用者により、ロービーム用ランプＬｏが選択されるようにスイッチ回路ＳＷ１が切り替えられている。【０１２７】
これにより、ランプ駆動電源１０から供給される電流ＩＸが、「第２の端子Ｔａ２→第２のランプ回路Ｌ２→スイッチ回路ＳＷ１→第１の端子Ｔａ１」の経路で流れる。【０１２８】
これにより、ハイビーム用ランプＨｉの合計２灯が点灯する（図９）。【０１２９】
なお、上記図５から図７に示す場合においては、スイッチ制御回路Ｃ１は動作せず、このスイッチ制御回路Ｃ１が、電流ｉに影響を与えることはない。【０１３０】
以上のように、実施例１に係るランプ点灯装置１００のＬＥＤランプが故障している場合における動作（図９）は、図８に示す一般的なバルブランプ点灯装置のバルブランプが故障している場合の動作と同等になる。【０１３１】
このように、ＬＥＤランプ点灯装置１００は、直列に接続された複数のＬＥＤランプのうち、故障したＬＥＤランプを迂回して、残りのＬＥＤランプを点灯することができる。【０１３２】
すなわち、本実施例に係るＬＥＤランプ点灯装置によれば、ＬＥＤランプに故障が発生した場合の動作を、一般的なバルブランプ点灯装置の動作と同等にすることができる。【０１３３】
さらに、ＬＥＤランプに故障が発生した場合においても、使用者のスイッチ回路の操作により、ＬＥＤランプの点灯を制御することができる。
【実施例２】
【０１３４】
既述のように、この制御用スイッチ素子ＳＣＲは、一端が第１の端子Ｔａ１に接続され且つ他端が第１の接点ＮＳ１に接続されていてもよい。【０１３５】
そこで、この実施例２では、ＬＥＤランプ点灯装置１００において、制御用スイッチ素子ＳＣＲの一端が第１の端子Ｔａ１に接続され、且つ制御用スイッチ素子ＳＣＲの他端が第１の接点ＮＳ１に接続された例について説明する。【０１３６】
図１０は、本発明の一態様である実施例２に係るＬＥＤランプ点灯装置１００を含むシステムの構成の一例を示す回路図である。なお、この図１０において、図１の符号と同じ符号は、第１の実施例と同様の構成を示す。【０１３７】
図１０に示すように、ＬＥＤランプ点灯装置１００は、実施例１と同様に、第１の端子Ｔａ１と、第２の端子Ｔａ２と、第１のランプ回路Ｌ１と、第２のランプ回路Ｌ２と、スイッチ回路ＳＷ１と、制御用スイッチ素子ＳＣＲと、スイッチ制御回路Ｃ１と、を有する。【０１３８】
そして、この実施例２においては、制御用スイッチ素子ＳＣＲは、一端が第１の端子Ｔａ１に接続され且つ他端が第１の接点ＮＳ１に接続されている。【０１３９】
この制御用スイッチ素子ＳＣＲは、カソードが第１の端子Ｔａ１に接続され、アノードが第１の接点ＮＳ１に接続されたサイリスタである。【０１４０】
また、スイッチ制御回路Ｃ１は、制御用スイッチ素子ＳＣＲの一端と他端との間の電位差（第１の接点ＮＳ１と第１の端子Ｔａ１との間の電位差）に応じて、制御用スイッチ素子ＳＣＲを制御するようになっている。【０１４１】
例えば、スイッチ制御回路Ｃ１は、実施例１と同様に、第１の制御抵抗Ｒｓと、第２の制御抵抗Ｒｔと、ツェナーダイオードＺｅと、を有する。  
第１の制御抵抗Ｒｓは、一端が第１の端子Ｔａ１に接続され、他端がサイリスタ（制御用スイッチ素子）ＳＣＲのゲート（制御端子）に接続されている。【０１４２】
第２の制御抵抗Ｒｔは、一端が第１の制御抵抗Ｒｓの他端に接続されている。【０１４３】
ツェナーダイオードＺｅは、アノードが第２の制御抵抗Ｒｔの他端に接続され、カソードが第１の接点ＮＳ１に接続されている。【０１４４】
このスイッチ制御回路Ｃ１は、第１の制御抵抗Ｒｓと、第２の制御抵抗Ｒｔと、ツェナーダイオードＺｅとにより、第１の端子Ｔａ１と第１の接点ＮＳ１との間の電圧を監視するように構成されている。【０１４５】
つまり、制御用スイッチ素子ＳＣＲの一端と他端との間（第１の端子Ｔａ１と第１の接点ＮＳ１との間）の電位差の値（絶対値）が、該基準電圧よりも大きくなった場合に、ツェナーダイオードＺｅが導通し、第２の制御抵抗Ｒｔに電流が流れるように構成されている。【０１４６】
そして、ツェナーダイオードＺｅが導通し、第２の制御抵抗Ｒｔに電流が流れることにより、制御用スイッチ素子（サイリスタ）ＳＣＲのアノードとゲートとの間に電圧が発生する。この電圧により制御用スイッチ素子ＳＣＲのゲートにゲート電流が流れて、制御用スイッチ素子ＳＣＲがターンオンする。【０１４７】
なお、該基準電圧は、第１の制御抵抗Ｒｓおよび第２の制御抵抗Ｒｔの抵抗値と、ツェナーダイオードＺｅの降伏電圧とにより、所望の値に設定することができる。【０１４８】
なお、実施例２に係るＬＥＤランプ点灯装置１００のその他の構成および動作は、実施例１と同様である。【０１４９】
したがって、本実施例に係るＬＥＤランプ点灯装置によれば、実施例１と同様に、直列に接続された複数のＬＥＤランプのうち、故障したＬＥＤランプを迂回して、残りのＬＥＤランプを点灯することができる。【０１５０】
すなわち、本実施例に係るＬＥＤランプ点灯装置によれば、実施例１と同様に、ＬＥＤランプに故障が発生した場合の動作を、一般的なバルブランプ点灯装置の動作と同等にすることができる。【０１５１】
さらに、ＬＥＤランプに故障が発生した場合においても、使用者のスイッチ回路の操作により、ＬＥＤランプの点灯を制御することができる。【０１５２】
なお、既述の各実施例では、第１のランプ回路のＬＥＤランプが、車両のヘッドランプのハイビーム用ランプであり、第２のランプ回路のＬＥＤランプが、該ヘッドランプのロービーム用ランプである場合について説明した。しかし、第１のランプ回路のＬＥＤランプが、車両のヘッドランプのロービーム用ランプであり、第２のランプ回路のＬＥＤランプが、該ヘッドランプのハイビーム用ランプであってもよい。【０１５３】
なお、実施形態は例示であり、発明の範囲はそれらに限定されない。
【符号の説明】
【０１５４】
１０  ランプ駆動電源
１００  ＬＥＤランプ点灯装置
Ｇ  交流発電機
Ｇ１  交流発電機の一端
Ｇ２  交流発電機の他端
Ｔａ１  第１の端子
Ｔａ２  第２の端子
ＩＸ  電流
ＴＩ１  第１の入力端子
ＴＩ２  第２の入力端子
ＴＳ１  第１の電源端子
ＴＳ２  第２の電源端子
ＳＸ  電源用スイッチ素子
ＣＸ  コンデンサ
ＲＸ  検出抵抗
ＣＯＮ  駆動制御回路
Ｒｂ  抵抗
Ｄｒ１  第１のダイオード
Ｄｒ２  第２のダイオード
Ｌ１  第１のランプ回路
Ｌ２  第２のランプ回路
ＳＷ１  スイッチ回路
ＳＣＲ  制御用スイッチ素子
Ｃ１  スイッチ制御回路
ＬＨ１、ＬＨ２、ＬＬ１、ＬＬ２  ＬＥＤランプ
【要約】
ＬＥＤランプ点灯装置は、ランプ駆動電源の低電位側の第１の電源端子と高電位側の第２の電源端子との間に接続され、前記ランプ駆動電源から駆動電流の供給を受け、前記駆動電流により直列に接続された複数のＬＥＤランプを点灯する。【図１】
0005684432.tif 000002
【図２】
0005684432.tif 000003
【図３】
0005684432.tif 000004
【図４】
0005684432.tif 000005
【図５】
0005684432.tif 000006
【図６】
0005684432.tif 000007
【図７】
0005684432.tif 000008
【図８】
0005684432.tif 000009
【図９】
0005684432.tif 000010
【図１０】
0005684432.tif 000011